(57)【特許請求の範囲】
【請求項１】
保持クリップ（２１）に、上側保持体（２９）及び下側保持体（２７）を上下に対向して設ける一方、ラジエータコアサポートパネル（１）を合成樹脂からなるアッパーパネル部（５）とロアパネル部（７）とアッパーパネル部（５）及びロアパネル部（７）の両サイドをつなぐサイドパネル部（９）とにより一体成形し、前記ロアパネル部（７）によってラジエータ（３）の下部を支持した前記ラジエータコアサポートパネル（１）のアッパーパネル部（５）に、前記保持クリップ（２１）の下側保持体（２７）が通過し、上側保持体（２９）の通過が阻止されるクリップ取付孔（１９）と、前記クリップ取付孔（１９）を貫通した保持クリップ（２１）の下側保持体（２７）が所定角度回転し位置決めストッパー（３３）と当接して位置決めされた時、前記下側保持体（２７）の戻り方向への回動を阻止する戻りストッパー（３５）とを設け、前記ラジエータ（３）の上部取付けピン（３７）に、弾性部材（３９）を介してクリップ取付孔（１９）の上方から前記下側保持体（２７）が貫通し、上側保持体（２９）が前記アッパーパネル部（５）の上側に当接するまで保持クリップ（２１）を挿入しその保持クリップ（２１）を、所定角度回動して前記アッパーパネル部（５）に対し上側保持体（２９）と下側保持体（２７）とによって上下から挟みつける状態で固定支持することを特徴とするラジエータ支持装置。
【請求項２】
保持クリップ（２１）に、上側保持体（２９）及び下側保持体（２７）を上下に対向して設ける一方、ラジエータコアサポートパネル（１）を合成樹脂からなるアッパーパネル部（５）とロアパネル部（７）とアッパーパネル部（５）及びロアパネル部（７）の両サイドをつなぐサイドパネル部（９）とにより一体成形し、前記ロアパネル部（７）によってラジエータ（３）の下部を支持した前記ラジエータコアサポートパネル（１）のアッパーパネル部（５）に、前記保持クリップ（２１）の下側保持体（２７）が通過し上側保持体（２９）の通過が阻止されるクリップ取付孔（１９）と、前記クリップ取付孔（１９）を通過した後所定角度回動した前記下側保持体（２７）を前記クリップ取付孔（１９）から上方へ抜け出る動きを阻止する位置で位置決めする位置決めストッパー（３３）とを設け、前記ラジエータ（３）の上部取付けピン（３７）に装着され、前記アッパーパネル部（５）を挟んでそのアッパーパネル部（５）の下部に弾性部材（３９）及び前記下側保持体（２７）が臨むと共に、前記アッパーパネル部（５）の上部に前記上側保持体（２１）が臨み、前記アッパーパネル部（５）に対し上側保持体（２９）と下側保持体（２７）とによって上下から挟みつける状態で固定支持されることを特徴とするラジエータ支持装置。
【発明の詳細な説明】
【０００１】
【発明の属する技術分野】
この発明は、自動車に適するラジエータ支持装置に関する。
【０００２】
【従来の技術】
一般に自動車のラジエータは、ラジエータ本体の上側と下側がラジエータコアサポートパネルによってそれぞれ固定支持されるようになっている。
【０００３】
ラジエータ本体の上側を支持する支持部材としては、例えば、図７に示すようにクランク状にプレス形成された帯板状の金属製支持ブラケット１０１とマウント用の弾性部材１０３と取付けボルト１０５とを有し、支持ブラケット１０１は、ラジエータ１０７の上部取付ピン１０９をラジエータコアサポートパネル１１１のアッパーパネル部１１３に固定支持する支持機能を備えている。
【０００４】
具体的には、支持ブラケット１０１の一方は、取付けボルト１０５及びナット１１５によってラジエータコアサポートパネル１１１のアッパーパネル部１１３に固定支持されている。
【０００５】
支持ブラケット１０１の他方は、弾性部材１０３を介してラジエータ１０７の上部取付けピン１０９が固定支持される構造となっている。
【０００６】
【発明が解決しようとする課題】
ラジエータ１０７の上側は、ラジエータコアサポートパネル１１１のアッパーパネル部１１３に固定支持するにあたり、支持ブラケット１０１、弾性部材１０３、取付けボルト１０５、ナット１１５等が必要となり、部品点数が多くなる。また、各部材を位置決めし取付けボルト１０５を挿入するところから、組付けに時間がかかり、作業性及びコストの面において望ましくない。
【０００７】
しかも、取付けボルト１０９を締付ける際に、締付けトルクの管理を怠ると弛みが発生し易くなると共に、片持ち構造となるため、支持剛性の面でも望ましくなかった。
【０００８】
また、支持ブラケット１０１は、支持ブラケット取付け領域の外に、弾性部材１０３を介してラジエータを支持するラジエータ支持領域が必要となる。加えて、弾性部材１０３を支持するためのバーリング穴の加工及び強度を持たせるためにフランジを立上げるプレス加工を行なうため、どうしても全体形状が大型化し、大きな取付けスペースを必要とする。
【０００９】
そこでこの発明は、部品点数が少なく、組付性及び支持剛性の面で優れるラジエータ支持構造を提供することを目的としている。
【００１０】
【課題を解決するための手段】
前記目的を達成するために、この発明にあっては、第１に保持クリップ（２１）に、上側保持体（２９）及び下側保持体（２７）を上下に対向して設ける一方、ラジエータコアサポートパネル（１）を合成樹脂からなるアッパーパネル部（５）とロアパネル部（７）とアッパーパネル部（５）及びロアパネル部（７）の両サイドをつなぐサイドパネル部（９）とにより一体成形し、前記ロアパネル部（７）によってラジエータ（３）の下部を支持した前記ラジエータコアサポートパネル（１）のアッパーパネル部（５）に、前記保持クリップ（２１）の下側保持体（２７）が通過し、上側保持体（２９）の通過が阻止されるクリップ取付孔（１９）と、前記クリップ取付孔（１９）を貫通した保持クリップ（２１）の下側保持体（２７）が所定角度回転し位置決めストッパー（３３）と当接して位置決めされた時、前記下側保持体（２７）の戻り方向への回動を阻止する戻りストッパー（３５）とを設け、前記ラジエータ（３）の上部取付けピン（３７）に、弾性部材（３９）を介してクリップ取付孔（１９）の上方から前記下側保持体（２７）が貫通し、上側保持体（２９）が前記アッパーパネル部（５）の上側に当接するまで保持クリップ（２１）を挿入しその保持クリップ（２１）を、所定角度回動して前記アッパーパネル部（５）に対し上側保持体（２９）と下側保持体（２７）とによって上下から挟みつける状態で固定支持することを特徴とする。
第２に、保持クリップ（２１）に、上側保持体（２９）及び下側保持体（２７）を上下に対向して設ける一方、ラジエータコアサポートパネル（１）を合成樹脂からなるアッパーパネル部（５）とロアパネル部（７）とアッパーパネル部（５）及びロアパネル部（７）の両サイドをつなぐサイドパネル部（９）とにより一体成形し、前記ロアパネル部（７）によってラジエータ（３）の下部を支持した前記ラジエータコアサポートパネル（１）のアッパーパネル部（５）に、前記保持クリップ（２１）の下側保持体（２７）が通過し上側保持体（２９）の通過が阻止されるクリップ取付孔（１９）と、前記クリップ取付孔（１９）を通過した後所定角度回動した前記下側保持体（２７）を前記クリップ取付孔（１９）から上方へ抜け出る動きを阻止する位置で位置決めする位置決めストッパー（３３）とを設け、前記ラジエータ（３）の上部取付けピン（３７）に装着され、前記アッパーパネル部（５）を挟んでそのアッパーパネル部（５）の下部に弾性部材（３９）及び前記下側保持体（２７）が臨むと共に、前記アッパーパネル部（５）の上部に前記上側保持体（２１）が臨み、前記アッパーパネル部（５）に対し上側保持体（２９）と下側保持体（２７）とによって上下から挟みつける状態で固定支持されることを特徴とする。
【００１１】
これにより、合成樹脂によって一体成形されたラジエータコアサポートパネルのアッパーパネル部に設けられたクリップ取付孔に、保持クリップを挿入し所定角度回転させると下側保持体は位置決めストッパーと当接し位置決めされる。この結果、下側保持体はクリップ取付孔に対してずれた位置となるため上方への抜けが阻止され、確実な固定支持状態が得るられようになる。しかも、部品点数は保持クリップと弾性部材の２部品で済むと共に、大きな取付けスペースを必要としない。また、戻りストッパーによって位置決めされた保持クリップは抜け出ることはなく確実な保持状態が得られる。
【００１２】
また、ラジエータの上部取付けピンは、一体成形されたラジエータコアサポートパネルのアッパーパネル部のクリップ取付孔に支持されるため、片持ち構造にはならず、高い支持剛性が得られる。
【００１３】
【発明の効果】
この発明のラジエータ支持構造によれば次のような効果を奏する。
【００１４】
（１）保持クリップを挿入し回動させると、クリップ取付孔を通過した下側保持部を位置決めストッパーによって正確に所定角度回動した位置の位置決めと戻りストッパーとによってクリップ取付孔から抜け出ることのない確実な固定支持状態を確保することができる。しかも、大きな取付けスペースを必要としない。
【００１５】
（２）部品点数を少なくできるため、コストの面でも大変好ましいものとなる。
【００１６】
（３）クリップ取付孔にラジエータの上部取付けピンを固定支持させることができるため、片持ち構造にならず、高い支持剛性を確保することができる。
【００１７】
【発明の実施の形態】
以下、図１乃至図６の図面を参照しながらこの発明の実施の形態について具体的に説明する。
【００１８】
図１はラジエータコアサポートパネル１とラジエータ３の一部分を示した分解斜視図を示している。
【００１９】
ラジエータコアサポートパネル１は、合成樹脂によって一体成形されていて、アッパーパネル部５とロアパネル部７とサイドパネル部９とから成っている。
【００２０】
サイドパネル部９には、図外のバンパーのバンパーステーが取付けられるバンパーステー取付部１１を有している。
【００２１】
ロアパネル部７には、ラジエータ３のラジエータ本体の底部に設けられた下部取付けピン１３がゴム製の弾性部材１５を介して支持される左右一対の固定支持孔１７が設けられている。
【００２２】
アッパーパネル部５には、左右一対のクリップ取付孔１９が設けられている。クリップ取付孔１９は、保持クリップ２１のクリップ主体部２３が貫通する円形状の開口部２５に、保持クリップに設けられた下側保持体２７が貫通し、上側保持体２９の貫通が阻止される内側が開口した切欠部３１が対向するよう設けられた形状となっている。
【００２３】
クリップ取付孔１９の近接部位でアッパーパネル部５の裏面には、保持クリップ２１の下側保持体２７が前記クリップ取付孔１９の通過後９０度回動した位置で当接しその当接位置で位置決めされる位置決めストッパー３３と、下側保持体２７がテーパー面３５ａを乗り越えることで戻りが阻止される戻りストッパー３５がそれぞれ設けられている。
【００２４】
保持クリップ２１は、合成樹脂の材質によって作られると共に、図３に示すようにクリップ主体部２３に前記した下側保持体２７と上側保持体２９とを有している。下側保持体２７は、垂直リブ２７ａによって支持された所定の厚みを有する板状に形成され、クリップ主体部２３から同一軸線上に沿って左右に突出する形状となっている。
【００２５】
下側保持体２７の幅ａ及び長さｂは、前記クリップ取付孔１９の切欠部３１の幅Ａ及び長さＢより若干小さく設定され、切欠部３１に対して上方から支障なく貫通する形状となっている。
【００２６】
上側保持体２９は、所定の厚みを有する板状の形状で下側保持体２７の軸線に対して直交するよう配置されており、クリップ主体部２３から同一軸線上に沿って上下に突出する形状となっている。
【００２７】
上側保持体２９の幅Ｄは、前記クリップ取付孔１９の切欠部３１の幅Ａより大きく設定され、切欠部３１に対して貫通が阻止される形状となっている。
【００２８】
また、上側保持体２９から下側保持体２７までの寸法Ｈはアッパーパネル部５のパネル厚とほぼ同一となっていて、上下からの挟持が可能となっている。
【００２９】
一方、ラジエータ３は、ラジエータ本体３ａの底部に前記した下部取付けピン１３が、上部に上部取付けピン３７がそれぞれ左右に配置されている。
【００３０】
上部取付けピン３７は、マウント用の弾性部材３９を介して前記保持クリップ２１のクリップ主体部２９内に嵌挿支持されている。
【００３１】
弾性部材３９は、図２に示すようにゴム材でできていて中央部位に上部取付けピン３７に対して挿入する挿入孔４１を有すると共に、保持クリップ２１のクリップ主体部２３内に底部側から嵌合主体部４３が嵌合される形状となっている。
【００３２】
このように構成されたラジエータ３の支持構造において、ラジエータ３の取付け手順について説明する。
【００３３】
まず、ラジエータ本体３ａの下部取付けピン１３を、ラジエータコアサポートパネル１のロアパネル部７の固定支持孔１７に弾性部材１５を介して挿入セットする。次に、ラジエータ本体３ａの上部取付けピン３７に弾性部材３９を挿入する。挿入完了後、上部取付けピン３７をアッパーパネル部５のクリップ取付孔１９の真下に位置決めし、その上部取付けピン３７に、クリップ取付孔１９の上から保持クリップ２１のクリップ主体部２３を挿入する。このとき、下側保持体２７が切欠部３１を貫通し、上側保持体２９がアッパーパネル部５の上面に当るまで挿入した後、保持クリップ２１を９０度回動させる。この回動により、下側保持体２７は戻りストッパー３５を乗り越えて、位置決めストッパー３３と当接し位置決めされる。この結果、戻り方向への回動が阻止された状態で下側保持体２７は切欠部３１に対して直交し合い、上方への抜け方向の動きが確実に阻止される。同時に下側保持体２７と上側保持体２９によってアッパーパネル部５を上下から挟みつけ、アッパーパネル部５に対して上部取付けピン３７，保持クリップ２１が一体となる確実な固定支持状態が得られる。
【００３４】
したがって、部品点数は、保持クリップ２１と弾性部材３９の２部品で済むと共に、保持クリップ２１の下側保持体２７は挿入・回転の操作時に、位置決めストッパー３３によって抜け出る方向への動きが確実に阻止された状態で正確に位置決めされると共に取付け作業が迅速に完了し、作業性が大幅に向上する。しかも、支持ブラケットがない分、取付けスペースは小さくて済むようになる。
【００３５】
また、上部取付けピン３７は保持クリップ２１によって片持ち構造になることなくクリップ取付孔１９に支持されるため、高い支持剛性が得られるようになる。
【００３６】
なお、この実施形態ではラジエータコアサポートパネル１及び保持クリップ２１は合成樹脂の材質となっているが、金属製であってもよい。
【図面の簡単な説明】
【図１】この発明にかかるラジエータ支持構造を示したラジエータコアサポートパネルとラジエータの一部分を示した分解斜視図。
【図２】ラジエータの支持構造を示した一部分の分解斜視図。
【図３】保持クリップの平面図。
【図４】保持クリップの正面図。
【図５】保持クリップの側面図。
【図６】クリップ取付孔の拡大説明図。
【図７】ラジエータ支持構造の従来例を示した一部分の分解斜視図。
【符号の説明】
１  ラジエータコアサポートパネル
３  ラジエータ
５  アッパーパネル部
１９  クリップ取付孔
２１  保持クリップ
２７  下側保持体
２９  上側保持体
３７  上部取付けピン
３９  弾性部材
【図１】
0004157676.tif 000002
【図２】
0004157676.tif 000003
【図３】
0004157676.tif 000004
【図４】
0004157676.tif 000005
【図５】
0004157676.tif 000006
【図６】
0004157676.tif 000007
【図７】
0004157676.tif 000008